(57)【要約】【課題】デュアル画面タイプの面光源装置において、サブ画面における光源からの光がメイン画面に漏れ出すことを抑制でき、メイン画面における輝度ムラの発生を抑制できる技術を提供する。【解決手段】第一の光源１１からの光が入光する第一入光面２６と、第一入光面２６と略垂直に交差し第一入光面２６から入光した光を出射する第一出光面２１と、第二の光源１１Ａからの光が入光する第二入光面２７と、第二入光面２７と略垂直に交差し該第二入光面２７から入光した光を出射する第二出光面２３と、を備える略平板状の導光板１０であって、第一入光面２６と第二入光面２７とは、互いに略直交する側面に設けられ、第一出光面２１と第二出光面２３とは、片側の平面における異なる領域に設けられ、第二出光面２３には、第二入光面２７と垂直方向に延伸するように形成された複数の第二凸条２５が設けられた。【選択図】図６
2017120740.tif 000002
【特許請求の範囲】
【請求項１】
第一の光源からの光が入光する第一入光面と、
前記第一入光面と略垂直に交差し該第一入光面から入光した光を出光する第一出光面と、
第二の光源からの光が入光する第二入光面と、
前記第二入光面と略垂直に交差し該第二入光面から入光した光を出光する第二出光面と、
を備える略平板状の導光板であって、
前記第一入光面と前記第二入光面とは、互いに略直交する側面に設けられ、
前記第一出光面と前記第二出光面とは、片側の平面における異なる領域に設けられ、
前記第二出光面および、前記平面の反対面において該第二出光面に相当する領域のうち少なくとも一方には、前記第二入光面と略垂直方向に延伸するように形成されたパターンが設けられたことを特徴とする導光板。
【請求項２】
前記パターンは、前記第二入光面と略垂直方向に延伸するように形成された複数の第二凸条であることを特徴とする請求項１に記載の導光板。
【請求項３】
前記第二入光面は、該第二入光面が設けられる側面において、前記第一入光面とは反対側の一部の領域に設けられ、
前記第二出光面は、該第二出光面及び前記第一出光面が設けられる前記平面において、前記第一入光面とは反対側の一部の領域に設けられ、
前記第一出光面は、前記平面において、前記第二出光面以外の領域として設けられ、
前記第一出光面および前記平面の反対面において該第一出光面に相当する領域における前記第二凸条側の部分には、前記第二入光面と略垂直方向に延伸するように形成された複数の第一凸条が前記複数の第二凸条から連続して配置されるように設けられたことを特徴とする請求項２に記載の導光板。
【請求項４】
前記複数の第一凸条が設けられる部分においては、前記第二凸条からより離れた場所では、前記第二凸条により近い場所と比較して、前記第一凸条の面積が単位面積当たりに占める割合が小さいことを特徴とする請求項３に記載の導光板。
【請求項５】
前記複数の第一凸条が設けられる部分においては、前記第二凸条からより離れた場所では、前記第二凸条により近い場所と比較して、前記第一凸条の幅に対する高さの比が小さいことを特徴とする請求項３に記載の導光板。
【請求項６】
前記複数の第一凸条が設けられる部分においては、前記第一凸条の形状は、前記第二凸条により近い場所から離れるにつれて徐々に変化することを特徴とする請求項４または５に記載の導光板。
【請求項７】
前記第一凸条と、前記第二凸条とは、該第一凸条が設けられた部分と該第二凸条が設けられた部分の境界部分において略同形状であることを特徴とする請求項３から６のいずれか一項に記載の導光板。
【請求項８】
前記第一出光面および、前記平面の反対面において該第一出光面に相当する領域のうち、前記第一凸条が設けられた方の領域において前記複数の第一凸条が設けられていない部分の表面の少なくとも一部は、鏡面であることを特徴とする請求項３から７のいずれか一項に記載の導光板。
【請求項９】
前記第一出光面および、前記平面の反対面において該第二出光面に相当する領域のうち
、前記第一凸条が設けられた方の領域において、前記複数の第一凸条が設けられていない部分には、前記第一入光面に略垂直方向に延伸する第三凸条が設けられ、該第三凸条の面積が単位面積当たりに占める割合は、前記第一入光面からより離れた場所において、前記第一入光面により近い場所と比較して小さくなることを特徴とする請求項３から７のいずれか一項に記載の導光板。
【請求項１０】
前記第二凸条を延伸方向から見た断面形状は、円弧、凸状の曲線、三角形または、四角形以上の多角形であることを特徴とする、請求項２から９のいずれか一項に記載の導光板。
【請求項１１】
前記第二凸条を延伸方向から見た断面形状において、前記第二凸条が設けられた部分の中央より前記第一入光面に近い側に設けられた前記第二凸条においては、前記第一入光面により近い第二凸条では、前記第一入光面により遠い第二凸条と比較して、前記導光板の内部から見て前記第一入光面側を向く斜面の、該第一入光面の法線となす鋭角の角度がより小さくなるように形成されたことを特徴とする請求項２から１０のいずれか一項に記載の導光板。
【請求項１２】
前記第二凸条を延伸方向から見た断面形状において、前記第二凸条が設けられた部分の中央より前記第一入光面に近い側に設けられた前記第二凸条においては、前記第一入光面により近い第二凸条では、前記導光板の内部から見て前記第一入光面側を向く斜面の、該第一入光面の法線となす鋭角の角度は、該導光板の内部から見て前記第一入光面側と逆側を向く斜面の、該第一入光面の法線となす鋭角の角度より小さいことを特徴とする、請求項２から１１のいずれか一項に記載の導光板。
【請求項１３】
前記第二凸条における幅に対する高さの比は０．０６７以上であることを特徴とする、請求項２から１２のいずれか一項に記載の導光板。
【請求項１４】
前記第二凸条における幅に対する高さの比は０．１５８以上であることを特徴とする、請求項２から１３のいずれか一項に記載の導光板。
【請求項１５】
前記第二出光面における前記第一入光面に平行方向の幅は、前記第一出光面における前記第一入光面に平行方向の幅より小さく、前記第二出光面における前記第二入光面側の端面は、前記第一出光面における前記第二入光面側の端面に対し、窪むように設けられたことを特徴とする請求項２から１４のいずれか一項に記載の導光板。
【請求項１６】
前記第二出光面における前記第二入光面側の端面は、前記第一出光面における前記第二入光面側の端面に対し、段差を伴って窪み、
該段差には、前記第二の光源からの光が該段差から導光板内部に入光することを禁止する遮光手段が設けられたことを特徴とする請求項１５に記載の導光板。
【請求項１７】
前記第二出光面における厚みが、前記第一出光面における厚みより薄いことを特徴とする請求項２から１６のいずれか一項に記載の導光板。
【請求項１８】
前記第一出光面と前記第二出光面の境界部分における厚みは、他の領域における厚みよりも薄いことを特徴とする請求項２から１６のいずれか一項に記載の導光板。
【請求項１９】
前記第一出光面及び第二出光面が設けられた平面またはその反対面の少なくとも一方１つには、導光板内部を導かれる光を散乱させるドットパターンが設けられたことを特徴とする請求項２から１８のいずれか一項に記載の導光板。
【請求項２０】
前記第一出光面および、前記平面の反対面における該第一出光面に相当する領域のうち少なくとも一方にドットパターンが設けられ、該ドットパターンが単位面積当たりに占める面積は、平面視において、前記第一入光面側から、前記第一出光面と前記第二出光面の境界部分までの間の所定部分において最大となることを特徴とする請求項２から１９までのいずれか一項に記載の導光板。
【請求項２１】
前記第二凸条は、その延伸方向において断続的に設けられていることを特徴とする請求項２から２０のいずれか一項に記載の導光板。
【請求項２２】
請求項１から２１のいずれか一項に記載の導光板と、
前記導光板の前記入光面と対向する位置に配置された光源と、
前記導光板の前記入光面の反対面と対向する位置に配置され、前記導光板の側面を囲む枠体と、
を備える面光源装置。
【請求項２３】
請求項２２に記載の面光源装置と、
前記面光源装置から出射される光を受ける表示パネルと、
を備えることを特徴とする表示装置。
【請求項２４】
請求項２３に記載の表示装置を備えることを特徴とする電子機器。
【発明の詳細な説明】
【技術分野】
【０００１】
本発明は、導光板、面光源装置、表示装置、及び電子機器に関する。
【背景技術】
【０００２】
近年、電子機器の小型化、薄型化が進んでいる。このような電子機器に搭載される液晶表示装置には、同一の面積でより大きな表示領域を得るための狭額縁化や、薄型化の他、輝度の均一性の向上等のニーズがある。液晶表示装置のバックライトには、例えば、白色光を出射するＬＥＤ（Light Emitting Diode）パッケージを光源とし、導光板（ライトガイドとも呼ばれる）を用いたサイドライトタイプ（エッジライト方式とも呼ばれる）の面光源装置が用いられている。
【０００３】
図１は、従来の面光源装置１００における導光板付近の概略断面図である。面光源装置１００は、導光板１０１と、導光板１０１の入光面１０２と対向するように配置された光源１２０とを備える。光源１２０から出射された光は、導光板１０１の入光面１０２から導光板１０１の内部に入り、導光板１０１の上面１０３及び下面１０４で反射を繰り返しながら導光板１０１の内部を進む。導光板１０１内の光は、導光板１０１の下面１０４に設けられたドットパターン１０５に当たって拡散反射し、導光板１０１の上面１０３に入射する光の入射角が変化する。導光板１０１の上面１０３に入射する光が、臨界角よりも小さな入射角で入射すると、導光板１０１の上面１０３から外部に光が出射される。
【０００４】
図２は、従来の面光源装置１００の全体の概略断面図である。図２に示すように、光源１２０がフレキシブル基板１０８に実装されている。導光板１０１の上面１０３側に光学シート１０９が配置され、導光板１０１の下面１０４側に反射シート１１０が配置されている。フレキシブル基板１０８の下面等に配置された固定部材（図示せず）によって、フレーム１０７、光学シート１０９及び光源１２０が固定されている。遮光両面テープ１１１は額縁状になっており、面光源装置１００の外部に光が漏れ出ることを抑制している。また、導光板１０１の反入光面１０６から出射される漏れ光を、フレーム１０７で反射して導光板１０１内に再入射したり、フレーム１０７に吸収したりすることにより、面光源装置１００の外部に漏れ光が出さないようにしている。
【０００５】
なお、近年、図３（ａ）に示すように、液晶画面にサイズの大きなメイン画面２００ａに加えて、メイン画面２００ａと比較してサイズの小さなサブ画面２００ｂを備えたデュアル画面タイプの面光源装置２００が公知となっている（例えば、特許文献１、２を参照）。
【先行技術文献】
【特許文献】
【０００６】
【特許文献１】特許第４２３８８０６号公報
【特許文献２】特開２０１１−３３８８２号公報
【発明の概要】
【発明が解決しようとする課題】
【０００７】
上記のような従来のデュアル画面タイプの面光源装置２００においては、図３（ｂ）に示すように、メイン画面２００ａに関しては、光源としてのＬＥＤ２２０が、メイン画面２００ａにおけるサブ画面２００ｂと反対側の端面に配置されている。一方、サブ画面２００ｂに関しては、ＬＥＤ２３０が、サブ画面２００ｂの短手方向の端面に配置されている。従って、サブ画面２００ｂ用のＬＥＤ２３０とメイン画面２００ａ用のＬＥＤ２２０
とは、面光源装置２００において、互いに略垂直となる端面に配置されている。
【０００８】
図３（ｃ）には、デュアル画面タイプの面光源装置２００において、メイン画面用のＬＥＤ２２０と、サブ画面用のＬＥＤ２３０を両方ＯＮした場合の輝度分布の画像を示す。図３（ｃ）を見て分かるように、サブ画面２００ｂにおいてサブ画面用のＬＥＤ２３０が配置された部分から、メイン画面２００ａに対して斜め方向の輝度ムラが生じている。また、図３（ｄ）には、デュアル画面タイプの面光源装置２００において、メイン画面用のＬＥＤ２２０をＯＦＦし、サブ画面用のＬＥＤ２３０をＯＮした場合の輝度分布の画像を示す。図３（ｄ）からも分かるように、サブ画面用ＬＥＤ２３０からの光が、サブ画面２００ｂからメイン画面２００ａの方に漏れて、斜めに拡散していることが、輝度ムラの原因であると考えられる。
【０００９】
本発明は、上記のような従来技術の問題に鑑みてなされたものであり、その目的は、デュアル画面タイプの面光源装置において、サブ画面における光源からの光がメイン画面に漏れ出すことを抑制でき、メイン画面における輝度ムラの発生を抑制できる技術を提供することである。
【課題を解決するための手段】
【００１０】
上記の課題を解決するための本発明は、第一の光源からの光が入光する第一入光面と、
前記第一入光面と略垂直に交差し該第一入光面から入光した光を出光する第一出光面と、
第二の光源からの光が入光する第二入光面と、
前記第二入光面と略垂直に交差し該第二入光面から入光した光を出光する第二出光面とを備える略平板状の導光板であって、
前記第一入光面と前記第二入光面とは、互いに略直交する側面に設けられ、
前記第一出光面と前記第二出光面とは、片側の平面における異なる領域に設けられ、
前記第二出光面および、前記平面の反対面において該第二出光面に相当する領域のうち少なくとも一方には、前記第二入光面と略垂直方向に延伸するように形成されたパターンが設けられたことを特徴とする。なお、ここでいうパターンには、前記第二入光面と略垂直方向に延伸するように連続的に形成されたパターンの他、前記第二入光面と略垂直方向に並ぶ離散的なパターンも含む。
【００１１】
これによれば、第二入光面から入光した第二の光源の光は、第二入光面と略垂直方向に延伸するように形成されたパターンによって、第二入光面と垂直に導かれ、第二入光面と平行方向には拡散し難くなる。その結果、第二入光面から入光した光のうち、第一出光面側に漏れ出す光の量を抑制することが可能である。よって、導光板全体としての光量分布の均一性を向上させることが可能なり、光量ムラを低減することが可能となる。
【００１２】
また、本発明においては、前記パターンは、前記第二入光面と略垂直方向に延伸するように形成された複数の第二凸条としてもよい。これによれば、第二出光面および、平面の反対面において該第二出光面に相当する領域のうち少なくとも一方に、所謂レンチキュラーを形成することが可能であり、より確実に、第二入光面から入光した光のうち、第一出光面側に漏れ出す光の量を抑制することが可能である。なお、ここでいう複数の凸条は、線状に突出した形状が複数並んだ構造を意味するが、このことは、逆に線状に凹んだ形状が複数並んだ構造も意味する。
【００１３】
また、本発明においては、前記第二入光面は、該第二入光面が設けられる側面において、前記第一入光面とは反対側の一部の領域に設けられ、
前記第二出光面は、該第二出光面及び前記第一出光面が設けられる前記平面において、前記第一入光面とは反対側の一部の領域に設けられ、
前記第一出光面は、前記平面において、前記第二出光面以外の領域として設けられ、
前記第一出光面および前記平面の反対面において該第一出光面に相当する領域における前記第二凸条側の部分には、前記第二入光面と略垂直方向に延伸するように形成された複数の第一凸条が前記複数の第二凸条から連続して配置されるように設けられるようにしてもよい。
【００１４】
これによれば、第一入光面から入光した第一の光源の光が、第二凸条に到達する前に、第一凸条によってある程度外部に出光し、直接第二凸条に到達する光の量は少なくなる。よって、第一入光面から入光した第一の光源の光が、第二凸条に直接到達して出光することで明線として視認されることを抑制できる。
【００１５】
また、本発明においては、前記複数の第一凸条が設けられる部分においては、前記第二凸条からより離れた場所では、前記第二凸条により近い場所と比較して、前記第一凸条の面積が単位面積当たりに占める割合が小さくなるようにしてもよい。
【００１６】
これによれば、第一入光面から入光した第一の光源の光が、第二凸条に到達する前に、第一凸条によって徐々に外部に出光するようにできる。よって、より確実に、第一入光面から入光した第一の光源の光が、第二凸条に直接到達して出光することで明線として視認されることを抑制でき、導光板全体としての輝度分布の均一性を向上させることができる。
【００１７】
また、本発明においては、前記複数の第一凸条が設けられる部分においては、前記第凸条からより離れた場所では、前記第二凸条により近い場所と比較して、前記第一凸条の幅に対する高さの比が小さくなるようにしてもよい。また、前記複数の第一凸条が設けられる部分においては、前記第一凸条の形状は、前記第二凸条により近い場所から離れるにつれて徐々に変化するようにしてもよい。これらのことによっても、第一入光面から入光した第一の光源の光が、第二凸条に到達する前に、第一凸条によって徐々に外部に出光するようにできる。よって、より確実に、第一入光面から入光した第一の光源の光が、第二凸条に直接到達して出光することで明線として視認されることを抑制でき、導光板全体としての輝度分布の均一性を向上させることができる。
【００１８】
また、本発明においては、前記第一凸条と、前記第二凸条とは、該第一凸条が設けられた部分と該第二凸条が設けられた部分の境界部分において略同形状であるようにしてもよい。これによれば、該第一凸条と該第二凸条の境界部分において、第一入光面から入光した第一の光源の光が、第一凸条及び第二凸条によって連続的に出光するようにできる。これにより、さらに確実に、第一入光面から入光した第一の光源の光が、第二凸条に直接到達して出光することで明線として視認されることを抑制でき、導光板全体としての輝度分布の均一性をさらに向上させることができる。
【００１９】
また、本発明においては、前記第一出光面および、前記平面の反対面において該第石出光面に相当する領域のうち、前記第一凸条が設けられた方の領域において前記複数の第一凸条が設けられていない部分の表面の少なくとも一部は、鏡面であるようにしてもよい。
【００２０】
また、本発明においては、前記第一出光面および、前記平面の反対面において該第二出光面に相当する領域のうち、前記第一凸条が設けられた方の領域において、前記複数の第一凸条が設けられていない部分には、前記第一入光面に略垂直方向に延伸する第三凸条が設けられ、該第三凸条の面積が単位面積当たりに占める割合は、前記第一入光面からより離れた場所において、前記第一入光面により近い場所と比較して小さくなるようにしてもよい。これによれば、第一入光面から入光した第一の光源の光を、第三凸条によって、より効率よく第一凸条に導くことができ、第一出光面における輝度を向上させることができ
る。また、第三凸条は、第一入光面から離れると小さくなるので、第一出光面における輝度の均一性をより確実に向上させることが可能である。
【００２１】
なお、本発明において前記第二凸条を延伸方向から見た断面形状は、円弧、凸状の曲線、三角形または、四角形以上の多角形であってもよい。
【００２２】
また、本発明においては、前記第二凸条を延伸方向から見た断面形状において、前記第二凸条が設けられた部分の中央より前記第一入光面に近い側に設けられた前記第二凸条においては、前記第一入光面により近い第二凸条では、前記第一入光面により遠い第二凸条と比較して、前記導光板の内部から見て前記第一入光面側を向く斜面の、該第一入光面の法線となす鋭角の角度がより小さくなるように形成してもよい。
【００２３】
これによれば、第一入光面から入光した第一の光源の光が、第二凸条に到達した際に、前記第一入光面により近い第二凸条において全反射される確率をより大きくし、前記第一入光面により遠い第二凸条においては、全反射される確率をより小さくすることが可能である。このことによっても、より確実に、第一入光面から入光した第一の光源の光が、第二凸条に直接到達して一気に出光することで明線として視認されることを抑制でき、導光板全体としての輝度分布の均一性を向上させることができる。
【００２４】
また、本発明においては、前記第二凸条を延伸方向から見た断面形状において、前記第二凸条が設けられた部分の中央より前記第一入光面に近い側に設けられた前記第二凸条においては、前記第一入光面により近い第二凸条では、前記導光板の内部から見て前記第一入光面側を向く斜面の、該第一入光面の法線となす鋭角の角度は、該導光板の内部から見て前記第一入光面側と逆側を向く斜面の、該第一入光面の法線となす鋭角の角度より小さくなるようにしてもよい。このことによっても、第一入光面から入光した第一の光源の光が、第二凸条に直接到達して一気に出光することで明線として視認されることを抑制でき、導光板全体としての輝度分布の均一性を向上させることができる。
【００２５】
また、本発明においては、前記第二凸条における幅に対する高さの比は０．０６７以上としてもよい。ここで、第二凸条における幅に対する高さの比は０．０６７以上とした場合に、第二凸条を設けることで、第二入光面から入光した第二の光源からの光の、第一出光面側への漏れ量を減少させることができる点が分かってきた。よって、第二凸条における幅に対する高さの比を０．０６７以上とすることで、第二入光面から入光した光のうち、第一出光面側に漏れ出す光の量を抑制できる。よって、導光板全体としての光量分布の均一性を向上させることが可能なり、光量ムラを低減することが可能となる。
【００２６】
また、本発明においては、前記第二凸条における幅に対する高さの比は０．１５８以上としてもよい。ここで、第二凸条における幅に対する高さの比は０．１５８以上とした場合に、第二凸条を設けることで、第二入光面から入光した第二の光源からの光の、第一出光面側への漏れ量を１／２以下に減少させることができる点が分かってきた。よって、第二凸条における幅に対する高さの比を０．１５８以上とすることで、より確実に、第二入光面から入光した光のうち、第一出光面側に漏れ出す光の量を抑制でき、導光板全体としての光量分布の均一性を向上させ、光量ムラを低減することが可能となる。
【００２７】
また、本発明においては、前記第二出光面における前記第一入光面に平行方向の幅は、前記第一出光面における前記第一入光面に平行方向の幅より小さく、前記第二出光面における前記第二入光面側の端面は、前記第一出光面における前記第二入光面側の端面に対し、窪むように設けられてもよい。
【００２８】
これによれば、前記第二出光面における前記第二入光面側の端面が、前記第一出光面に
おける前記第二入光面側の端面に対して窪むことになるので、このことによって生じたスペースに第二の光源を収納することが可能となる。また、カメラなど他の部品を収納することも可能となる。その結果、スペース効率を向上させ、額縁部品の小型化を図り、装置における画面の比率を高めることが可能となる。
【００２９】
また、本発明においては、前記第二出光面における前記第二入光面側の端面は、前記第一出光面における前記第二入光面側の端面に対し、段差を伴って窪み、該段差には、前記第二の光源からの光が該段差から導光板内部に入光することを禁止する遮光手段が設けられてもよい。そうすれば、第二の光源から出射された光が前記段差から導光板内部に直接入射することを抑制できる。その結果、導光板全体としての輝度の均一性を向上させ、輝度ムラを抑制することが可能となる。なお、上記の遮光手段は、前記段差にシール等の遮光部材を固定することで実現してもよいし、遮光性の塗料を塗布することで実現してもよい。
【００３０】
また、本発明においては、前記第二出光面における厚みが、前記第一出光面における厚みより薄くなるようにしてもよい。そうすれば、第二出光面の厚みのうち、導光板における第二凸条の厚みが占める割合を増加させることが可能であり、より効果的に、第二入光面から入光した光のうち、第一出光面側に漏れ出す光の量を抑制できる。よって、導光板全体としての光量分布の均一性を向上させることが可能なり、光量ムラを低減することが可能となる。
【００３１】
また、本発明においては、前記第一出光面と前記第二出光面の境界部分における厚みは、他の領域における厚みよりも薄くなるようにしてもよい。そうすれば、第二入光面から入光して導光板の第二出光面側を通過している光が、第一出光面側に漏れ出し難くすることができる。よって、導光板全体としての光量分布の均一性を向上させることが可能なり、光量ムラを低減することが可能となる。
【００３２】
また、本発明においては、前記第一出光面及び第二出光面が設けられた平面またはその反対面の少なくとも１つには、導光板内部を導かれる光を散乱させるドットパターンが設けられるようにしてもよい。これにより、より効率よく、前記第一出光面または第二出光面から出光することが可能となる。
【００３３】
また、本発明においては、前記第一出光面および、前記平面の反対面における該第一出光面に相当する領域のうち少なくとも一方にドットパターンが設けられ、該ドットパターンが単位面積当たりに占める面積は、平面視において、前記第一入光面側から、前記第一出光面と前記第二出光面の境界部分までの間の所定部分において最大となるようにしてもよい。これによれば、第一入光面から入光した第一の光源の光が、第一出光面においてより効率的に出光するようにできる。これにより、より確実に、第一入光面から入光した第一の光源の光が、第二凸条に直接到達して一気に出光することで明線として視認されることを抑制でき、導光板全体としての輝度分布の均一性を向上させることができる。なお、上記において所定部分とは、導光板における前記第一入光面側から、前記第一出光面と前記第二出光面の境界部分までの間のいずれかの部分であり、導光板全体としての輝度分布がより均一となるように実験的または理論的に導出してもよい。
【００３４】
また、本発明においては、前記第二凸条は、その延伸方向において断続的に設けられるようにしてもよい。これによれば、第二凸条によって、第二入光面から入光した第二の光源の光を、第二凸条の延伸方向に導くことができるとともに、断続的な第二凸条をドットパターンとして機能させることで、より効率的に第二出光面から出光させることができる。その結果、より確実に、第二入光面から入光した第二の光源の光が第一出光面側に漏れることを抑制できるとともに、第二出光面における輝度の均一性を高め、輝度ムラを抑制
することができる。
【００３５】
なお、本発明においては、上記した課題を解決するための手段を適宜、組み合わせて使用することが可能である。
【発明の効果】
【００３６】
本発明によれば、デュアル画面タイプの面光源装置において、サブ画面における光源からの光がメイン画面に漏れ出すことを抑制でき、その結果、メイン画面における輝度ムラの発生を抑制できる。
【図面の簡単な説明】
【００３７】
【図１】従来の面光源装置の導光板付近の概略断面図である。
【図２】従来の面光源装置の断面図である。
【図３】デュアル画面タイプの面光源装置における輝度分布について説明するための図である。
【図４】実施例における液晶表示装置の分解斜視図である。
【図５】実施例における面光源装置の分解斜視図である。
【図６】実施例１における導光板を示す斜視図である。
【図７】実施例１における導光板の構成による輝度分布の改善効果を示す図である。
【図８】実施例１におけるプリズムの大きさと輝度分布の改善効果の関係を示すグラフである。
【図９】実施例１におけるプリズムの断面形状のバリエーションを示す図である。
【図１０】実施例２における導光板を示す斜視図である。
【図１１】実施例３における導光板を示す斜視図である。
【図１２】実施例４における導光板を示す斜視図と、その構成による効果を示す図である。
【図１３】実施例４におけるプリズムの断面形状のバリエーションを示す図である。
【図１４】実施例５における導光板を示す斜視図である。
【図１５】実施例６における導光板を示す斜視図である。
【図１６】実施例７における導光板を示す斜視図である。
【図１７】実施例７における導光板の別の態様を示す斜視図である。
【発明を実施するための形態】
【００３８】
以下、本発明の実施の形態について、図面に基づいて説明する。なお、以下に挙げる実施例は、本発明を実施する形態の一例を示すものであって、本発明を以下に説明する具体的な構成に限定するものではない。
【００３９】
以下の実施例においては、「表示装置」は、液晶表示装置として説明され、「面光源装置」は、液晶表示装置のバックライトとして説明され、「光源」は、ＬＥＤパッケージとして説明される。なお、「面光源装置」は、液晶パネルや電子ペーパによる表示装置の前面に配置されるフロントライト等、バックライト以外の用途で利用されてもよい。
【００４０】
＜実施例１＞
（液晶表示装置の構成）
図４は、実施例１における液晶表示装置の構成を例示する斜視図である。図４に示すように、本実施例に係る液晶表示装置は、バックライトとして配置される面光源装置１と、面光源装置１から出射される光を受ける液晶パネル２とを備える。液晶パネル２は、ガラス板に挟まれて封入された液晶に電圧をかけて光の透過率を増減等させることで、像を表示する表示パネルである。なお、後述する他の実施例においても、液晶表示装置が同様に構成される。以下、面光源装置１における、液晶パネル２側を上面側として、その反対面
側を下面側として説明することがある。
【００４１】
（面光源装置１の構成）
図５は、実施例１に係る面光源装置１の構成を例示する斜視図である。本実施例に係る面光源装置１は、導光板１０、光源１１、フレキシブルプリント基板（以下、「ＦＰＣ」とも表記する）１２、フレーム１３、及び固定部材１４を備える。また、面光源装置１は、導光板１０の下面側に配置される反射シート１５を備える。また、面光源装置１は、導光板１０の上面側に順に積層される拡散シート１６、プリズムシート１７Ａ、１７Ｂ、及び遮光両面テープ１８を備える。
【００４２】
導光板１０は、概略平板状であり、ポリカーボネート樹脂やポリメチルメタクリレート樹脂等の透光性の素材で成形される。導光板１０の上面は、光が出射する出光面となっている。導光板１０は、光源１１から導光板１０内へ導入された光を出光面に導き、出光面全体が均一に光るようにしたものである。また、本実施例において導光板１０はデュアル画面タイプであり、図中破線１０Ａで区切られたメイン画面用の出光面とサブ画面用の出光面とを有する。
【００４３】
メイン画面用の光源１１（以下、単にメイン光源１１ともいう。）は、白色光を蛍光部から出射する。メイン光源１１は、例えば、ＬＥＤパッケージであるが、ＬＥＤパッケージ以外の光源が用いられてもよい。メイン光源１１は、発光素子であるＬＥＤチップが蛍光体を含む透光性樹脂（樹脂層）で封止されて形成されている。メイン光源１１は、ＦＰＣ１２からの給電を受けて駆動される。なお、メイン光源１１として、白色以外のＬＥＤ光源が用いられてもよい。ＦＰＣ１２は、可撓性のある絶縁性フィルムである基材上に、導体箔によって配線を設け、表面に保護用の絶縁性フィルムであるカバーレイを接着させて構成される配線基板である。ＦＰＣ１２には、複数のメイン光源１１が一定の間隔で一列に実装される。
【００４４】
また、本実施例においては、サブ画面用の光源１１Ａ（以下、単にサブ光源１１Ａともいう。）を備えている。サブ光源１１Ａの構成は、メイン光源１１と同等であるので、ここでは詳細な説明は省略する。サブ光源１１Ａは、ＦＰＣ１２Ａからの給電を受けて駆動される。ＦＰＣ１２Ａには、単数または複数のサブ光源１１Ａが実装されている。なお、ここでメイン光源１１は第一の光源に相当し、サブ光源１１Ａは第二の光源に相当する。
【００４５】
フレーム１３は、開口を有し、４辺からなる枠状の部材（「枠体」の一例）である。フレーム１３は、酸化チタンを含有したポリカーボネート樹脂等により成形される。フレーム１３には、導光板１０がはめ込まれ、フレーム１３の内周面が導光板１０の外周面を形成する側面を囲う。フレーム１３は、高い反射率を有しており、導光板１０内の光が導光板１０の外周面から漏れないように光を反射する。フレーム１３は、例えば、白色で９６％の反射率を有する。固定部材１４は、ＦＰＣ１２の下面等に配置され、ＦＰＣ１２とフレーム１３と導光板１０を固定する。固定部材１４は、例えば、上下面が粘着面となった両面粘着テープである。
【００４６】
反射シート１５は、多層膜構造を有する高反射フィルムまたは反射率の高い白色樹脂シートや金属箔などからなる平滑なシートであり、導光板１０内の光が導光板１０の下面から漏れないように光を反射する。拡散シート１６は、半透明な樹脂フィルムであり、導光板１０の出光面から発せられた光を拡散させて光の指向特性を広げる。プリズムシート１７Ａ及び１７Ｂは、上面に三角プリズム状の微細なパターンが形成された透明な樹脂フィルムあり、拡散シート１６によって拡散された光を集光し、面光源装置１を上面側から見た場合の輝度を上昇させる。遮光両面テープ１８は、上下両面が粘着面となった黒色の粘着テープである。遮光両面テープ１８は額縁状となっており、光が漏れ出ることを抑制す
る。
【００４７】
（導光板１０の構成）
図６は、本実施例に係る導光板１０のより具体的な構成を示す斜視図である。導光板１０は、前述のように平面視が概略長方形である平板形状を有する。メイン光源１１から出射された光が入光するメイン入光面２６と、メイン入光面２６から入光した光を出射するメイン出光面２１とを有する。また、サブ光源１１Ａから出射された光が入光するサブ入光面２７と、サブ入光面２７から入光した光を出射するサブ出光面２３とを有する。ここでメイン入光面２６は、導光板１０の短辺側の側面に配置されており、サブ入光面２７は、導光板１０の長辺側の側面における、メイン入光面２６と反対側の領域に設けられている。なお、ここでメイン入光面２６は第一入光面に相当する。メイン出光面２１は第一出光面に相当する。サブ入光面２７は第二入光面に相当する。サブ出光面２３は第二出光面に相当する。
【００４８】
また、メイン出光面２１及びサブ出光面２３の寸法は、面光源装置１の仕様によって定められるが、本実施例においては、サブ出光面２３は、導光板１０におけるメイン入光面２６の反対側の一部の領域に形成されており、導光板１０におけるサブ出光面２３以外の領域がメイン入光面２１を形成する。メイン出光面２１及びサブ出光面２３の、サブ入光面２７に垂直方向の寸法は、ともに導光板１０の短辺方向の幅と同一になっている。また、導光板１０における、メイン出光面２１及びサブ出光面２３の裏側の平面である反対面２２には、反対面２２に到達する光を散乱するためのドットパターン（不図示）が離散的に設けられている。
【００４９】
本実施例における導光板１０のメイン出光面２１の表面は鏡面とされている。メイン光源１１から出射された光は、導光板１０のメイン入光面２６から導光板１０の内部に入光し、導光板１０のメイン出光面２１及び反対面２２で反射を繰り返しながら導光板１０の内部をメイン入光面２６とは反対側に導かれる。導光板１０内の光は、反対面２２に設けられたドットパターン（不図示）によって拡散反射され、メイン出光面２１に入射する光の入射角が変化する。メイン出光面２１に入射する光が、臨界角よりも小さな入射角で入射すると、メイン出光面２１から外部に光が出光される。
【００５０】
また、導光板１０におけるサブ出光面２３にはレンチキュラー２５が設けられている。レンチキュラー２５は、導光板１０のサブ入光面２７に対して垂直方向に延伸する複数の凸条により構成されている。なお、個々の凸条については以下では、プリズムとして説明する。また、レンチキュラー２５の各々のプリズムは、円弧断面を有する蒲鉾状の形状を有している。導光板１０のサブ出光面２３にレンチキュラー２５を設けることにより、導光板１０のサブ光源１１Ａから出射してサブ入光面２７から導光板１０内に入光した光の、レンチキュラー２５の延伸方向と垂直な方向への拡散が抑制され、サブ入光面２７から入光したサブ光源１１Ａからの光がメイン出光面２１側に漏れ、メイン出光面２１から出光されることが抑制される。
【００５１】
これにより、導光板１０におけるメイン出光面２１及びサブ出光面２３から出光される光の輝度の均一性が向上する。レンチキュラー２５における複数のプリズムは、サブ出光面２３において互いに平行に並んで配置されている。また、レンチキュラー２５における複数のプリズムは、一定の間隔を空けて配置されていてもよいし、間隔を空けずに配置されていてもよい。レンチキュラー２５における各プリズムのピッチは、例えば、７０μｍ以上９０μｍ以下であってもよいが、これらの値に限定されず、他の値であってもよい。また、レンチキュラー２５は、射出成形によって製造される導光板１０に対して一体成型によって形成されてもよい。なお、本実施例においてレンチキュラー２５における複数のプリズムは第二凸条に相当し、また、パターンに相当する。
【００５２】
図７には、本発明の実施例１の構成による効果について示す。図７（ａ）は、サブ出光面２３にレンチキュラー２５が設けられていない場合に、サブ光源１１ＡのみをＯＮすることによって導光板１０から出光される光の輝度分布を表す。また、図７（ｂ）は、サブ出光面２３にレンチキュラー２５が設けられた場合に、サブ光源１１ＡのみをＯＮすることによって導光板１０から出光される光の輝度分布を表す。
【００５３】
図７（ａ）と図７（ｂ）を比較して理解できるように、サブ出光面２３にレンチキュラー２５を設けた場合には、サブ光源１１Ａからサブ入光面２７に入光した光が、メイン出光面２１に漏れ出し、メイン出光面２１から出光されることが抑制されている。具体的には、図７（ａ）においては、サブ出光面２３における輝度と、メイン出光面２１に漏れ出す光の輝度が同等になっている。それに対し、図７（ｂ）においては、サブ出光面２３における輝度は図７（ａ）の約２倍となり、メイン出光面２１に漏れ出す光の輝度は、図７（ａ）の１／９に減少している。
【００５４】
次に、図８には、レンチキュラー２５における各プリズムの形状と、効果との関係のグラフを示す。図８（ａ）のグラフの横軸は、図８（ｂ）に示すようなレンチキュラー２５におけるプリズム幅に対する高さの比（プリズム高さ／幅）である。また、縦軸は、サブ出光面２３における輝度に対する、メイン出光面２１への漏れ光の輝度（メイン出光面漏れ光の輝度／サブ出光面の輝度）を示す。図８より、プリズム幅に対する高さの比を０．０６７以上とすることで、メイン出光面の漏れ光の輝度よりも、サブ出光面の輝度を高くすることができることが分かる。また、プリズム幅に対する高さの比を０．１５８以上とすることで、メイン出光面の漏れ光の輝度を、サブ出光面の輝度の半分以下に低減することが可能となることが分かる。
【００５５】
なお、レンチキュラー２５における各プリズムの断面形状は、上記のように円弧形状でもよいが、その他、図９（ａ）〜（ｃ）に示すように、円弧以外の凸状の曲線による形状、三角形、五角形などの多角形としてもよい。
【００５６】
＜実施例２＞
次に、本発明の実施例２について説明する。本実施例においては、導光板のサブ出光面に、サブ入光面に垂直方向のレンチキュラーを設けるとともに、導光板のメイン出光面にも、サブ入光面に垂直方向のレンチキュラーを設ける例について説明する。
【００５７】
図１０には、本実施例に係る導光板３０についての斜視図を示す。本実施例においては、図６で示した構成と同等の構成については図６と同じ符号を付与するとともに説明は省略する場合があり、主として図６で示した構成との相違点について説明する。
【００５８】
（導光板３０の構成）
図１０（ａ）は、本実施例に係る導光板３０を示す斜視図である。導光板３０も、平面視が概略長方形である平板状の形状を有する。メイン光源１１から出射された光が入光するメイン入光面３６と、メイン入光面３６から入光した光を出光するメイン出光面３１とを有する。また、サブ光源１１Ａから出射された光が入光するサブ入光面２７と、サブ入光面３７から入光した光を出光するサブ出光面２３とを有する。
【００５９】
ここで、図１０（ｂ）には、図６で示した実施例１における導光板１０を用いて面光源装置１を発光させた場合の出射光の輝度分布（シミュレーション）を示している。図６に示した導光板１０においては、メイン光源１１から出射し、メイン入光面２６から入光した光は、メイン出光面２１とサブ出光面２３との境界部分においてレンチキュラー２５のメイン出光面２１側の端部に当たり、一気に出射してしまう場合があった。そうすると、
図１０（ｂ）に示すように、メイン出光面２１とサブ出光面２３との境界部分に明線が見えてしまう可能性があった。
【００６０】
これに対し、本実施例では、メイン出光面３１におけるサブ出光面２３側の表面にも、サブ入光面２７に垂直方向のレンチキュラー３５が設けられている。このレンチキュラー３５は、メイン出光面３１とサブ出光面２３との境界部分からメイン入光面３６側に行くに従って、プリズムの高さ及び幅が連続的に小さくなるように（すなわち、単位面積あたりのプリズムが占める面積が小さくなるように）構成されている。そうすると、メイン出光面３１とサブ出光面２３との明確な境界部分を無くすことができる。さらに、メイン光源１１から出射され、メイン入光面３６から導光板３０に入光した光が、メイン出光面３１とサブ出光面２３との境界部分に到達する前に、レンチキュラー３５によって徐々にメイン出光面３１から出光するようにできる。
【００６１】
これにより、メイン光源１１から出射され、メイン入光面３６から導光板３０に入光した光が、メイン出光面３１とサブ出光面２３との境界部分においてレンチキュラー２５に当たり、メイン出光面３１から一気に出光することを抑制でき、結果として、メイン出光面３１とサブ出光面２３との境界部分において明線が視認されることを抑制できる。なお、本実施例においてレンチキュラー３５を構成するプリズムは第一凸条に相当する。
【００６２】
なお、本実施例においては、レンチキュラー３５を構成するプリズムは、メイン出光面３１とサブ出光面２３との境界部分からメイン入光面３６側に行くに従って、幅に対する高さの比が小さくなるようにしてもよい。これによれば、メイン出光面３１とサブ出光面２３との境界部分からメイン入光面３６側に行くに従って、レンチキュラー３５のプリズムによる、光の散乱効果を弱くすることが可能である。その結果、メイン出光面３１とサブ出光面２３との明確な境界部分を無くすことができる。また、メイン光源１１から出射され、メイン入光面３６から導光板３０に入光した光が、メイン出光面３１とサブ出光面２３との境界部分に到達する前に、レンチキュラー３５によって徐々にメイン出光面３１から出光するようにできる。
【００６３】
また、本実施例においては、レンチキュラー３５を構成するプリズムの形状は、メイン出光面３１とサブ出光面２３との境界部分からメイン入光面３６側に行くに従って、徐々に変化するようにしてもよい。これによれば、より確実に、メイン光源１１から出射され、メイン入光面３６から導光板３０に入光した光が、メイン出光面３１とサブ出光面２３との境界部分に到達する前に、レンチキュラー３５によって徐々にメイン出光面３１から出光するようにできる。
【００６４】
また、本実施例においては、レンチキュラー３５を構成するプリズムと、レンチキュラー２５を構成するプリズムとは、メイン出光面３１とサブ出光面２３との境界部分において同形状としてもよい。これにより、さらに確実に、メイン出光面３１とサブ出光面２３との明確な境界部分を無くすことができ、メイン出光面３１とサブ出光面２３との境界部分において明線が視認されることをさらに確実に抑制できる。
【００６５】
＜実施例３＞
次に、本発明の実施例３について説明する。本実施例においては、導光板のサブ出光面に、サブ入光面に垂直方向のレンチキュラーを設けるとともに、導光板のメイン出光面にも、サブ入光面に垂直方向のレンチキュラーを設け、且つ、メイン出光面のうち、サブ入光面に垂直方向のレンチキュラーが設けられていない部分には、メイン入光面に垂直方向のレンチキュラーをさらに設ける例について説明する。本実施例においては、前述の実施例で示した構成と同等の構成については同じ符号を付与するとともに説明は省略する場合があり、主として前述の実施例との相違点について説明する。
【００６６】
（導光板４０の構成）
図１１は、本実施例に係る導光板４０を示す斜視図である。導光板４０は、平面視が概略長方形である平板状の形状を有する。メイン光源１１から出射された光が入光するメイン入光面４６と、メイン入光面４６から入光した光を出射するメイン出光面４１とを有する。
【００６７】
ここで、本実施例では、メイン出光面４１におけるサブ出光面２３側の部分においては、サブ入光面２７に垂直方向のレンチキュラー３５が設けられている。このレンチキュラー３５は、実施例２と同様、メイン出光面４１とサブ出光面２３との境界部分からメイン入光面４６側に行くに従って、プリズムの高さ及び幅が連続的に小さくなるように構成されている。さらに、本実施例では、メイン出光面４１においてレンチキュラー３５が設けられていない領域においては、メイン入光面４６に垂直な方向のレンチキュラー４２が設けられている。このレンチキュラー４２は、メイン入光面４６から離れるにつれて、その高さ及び幅が小さくなり（すなわち、単位面積あたりのプリズムが占める面積が小さくなり）、レンチキュラー４２は、レンチキュラー３５が存在する部分に到達する前に無くなるように構成されている。
【００６８】
そうすると、実施例２で説明したとおり、メイン光源１１から出射され、メイン入光面４６から導光板４０に入光した光が、メイン出光面４１とサブ出光面２３との境界部分においてレンチキュラー２５に当たり、一気に出光してしまい明線が現れることを抑制できる。また、このことに加え、メイン光源１１から出射されメイン入光面４６から入光した光は、レンチキュラー４２によって、メイン入光面４６に平行方向へ拡散することが抑制され、より多くの光をサブ出光面２３側にまで導くことができる。その結果、メイン出光面４１及びサブ出光面２３における輝度を向上させることができる。
【００６９】
また、レンチキュラー４２は、メイン出光面４１において、メイン入光面４６側からメイン入光面４６に垂直に延伸し、レンチキュラー３５が存在する部分に到達する前に無くなるので、レンチキュラー４２が設けられた部分と、レンチキュラー３５が設けられた部分との境界線において、明線が生じるなどの不都合を回避することが可能である。なお、本実施例におけるレンチキュラー４２を構成するプリズムは、第三凸条に相当する。
【００７０】
＜実施例４＞
次に、本発明の実施例４について図１２を用いて説明する。本実施例においては、導光板のサブ出光面に、サブ入光面に垂直方向のレンチキュラーを設けるとともに、当該レンチキュラーのサブ入光面の法線方向から見た断面図は、メイン光源から出射されメイン入光面から入光した光の、各プリズムの内側から見てメイン入光面側を向いた傾斜面への入射角が、メイン入光面からの距離が大きくなるに従って徐々に小さくなるように設けられる例について説明する。
【００７１】
本実施例においても、図１２のうち、前述の実施例で説明した構成と同等の構成については同じ符号を付与するとともに説明は省略する場合があり、主として前述の実施例との相違点について説明する。
【００７２】
（導光板５０の構成）
図１２（ａ）には、本実施例に係る導光板５０についての斜視図を示す。導光板５０も、平面視が概略長方形である平板状の形状を有する。メイン光源１１から出射された光が入光するメイン入光面２６と、メイン入光面２６から入射した光を出射するメイン出光面２１とを有する。また、サブ光源１１Ａから出射された光が入光するサブ入光面５７と、サブ入光面５７から入光した光を出光するサブ出光面５３とを有する。
【００７３】
本実施例では、メイン出光面２１は鏡面とされている。そして、サブ出光面５３においては、サブ入光面５７に垂直方向に延伸するレンチキュラー５５が設けられている。このレンチキュラー５５の各プリズムの、サブ入光面５７の法線方向から見た断面形状は、サブ入光面５７と垂直な方向については、変化せず一定形状を有している。一方、サブ入光面５７と平行な方向については、サブ出光面５３の中央よりメイン入光面２６に近い側に設けられたプリズムでは、メイン入光面２６の法線方向に進む光の、プリズムの内側から見てメイン入光面２６側を向いた傾斜面５５Ａへの入射角が、メイン入光面２６からの距離が大きくなるに従って徐々に小さくなるように設けられている。
【００７４】
そうすると、メイン入光面２６から導光板５０に入光した光は、メイン出光面２１からある程度出射されながら、サブ出光面５３に到達する。そして、サブ出光面５３におけるメイン入光面２６側の部分においては、レンチキュラー５５のプリズムへの入射角が大きいため、全反射する可能性が高く、サブ出光面５３から外部に出光される光の量が抑えられる。そして、サブ出光面５３においてメイン入光面２６と離れるにつれて、レンチキュラー５５の各プリズムへの入射角が小さくなるため、透過する可能性が高くなり、サブ出光面５３から外部に出光される光の量が多くなる。
【００７５】
これによれば、レンチキュラー５５のプリズムに到達したメイン入光面２６からの光が、メイン出光面２１とサブ出光面５３の境界付近において一気に出光されてしまうことを抑制でき、その結果、メイン出光面２１とサブ出光面５３の境界部分に明線が生じることを抑制できる。
【００７６】
ここで、図１２（ｂ）には、本実施例における導光板５０において、メイン光源１１をＯＮし、サブ光源１１ＡをＯＦＦした場合の輝度分布のシミュレーション結果の例を示す。これによれば、メイン出光面２１とサブ出光面５３との境界領域においても、図１０のようには明線が生じていないことが確認できる。
【００７７】
なお、レンチキュラー５５の各プリズムの断面形状としては様々なバリエーションが考えられる。図１３（ａ）〜（ｃ）に示すように、偏芯した凸状の曲線による形状、偏芯した三角形、偏芯した五角形などの多角形としてもよい。なお、本実施例において、メイン入光面２６の法線方向へ進む光の、プリズムの内側から見てメイン入光面２６側を向いた傾斜面５５Ａへの入射角は、「導光板の内部から見て第一入光面側を向く斜面の、第一入光面の法線となす鋭角の角度」に相当する。
【００７８】
また、本実施例においては、サブ出光面５３の中央よりメイン入光面２６に近い側に設けられたプリズムでは、メイン入光面２６の法線方向へ進む光の、プリズムの内側から見てメイン入光面２６側を向いた傾斜面５５Ａへの入射角は、プリズムの内側から見てメイン入光面２６側と逆側を向く傾斜面への入射角より小さくなるようにしてもよい。このことによっても、メイン入光面２６から入光したメイン光源１１の光が、レンチキュラー５５のプリズムに直接到達して一気に出光することで明線として視認されることを抑制でき、導光板全体としての輝度分布の均一性を向上させることができる。この場合の、メイン入光面２６の法線方向へ進む光の、プリズムの内側から見てメイン入光面２６側と逆側を向く傾斜面への入射角は、「導光板の内部から見て前記第一入光面側と逆側を向く斜面の、該第一入光面の法線となす鋭角の角度」に相当する。
【００７９】
＜実施例５＞
次に、本発明の実施例５について図１４を用いて説明する。本実施例においては、導光板のサブ出光面に、サブ入光面に垂直方向に延伸するレンチキュラーを設けるとともに、導光板においてサブ出光面が設けられた部分の厚みが、導光板においてメイン出光面が設
けられた部分の厚みと比較して薄くされる例について説明する。
【００８０】
本実施例においては、前述の実施例で説明した構成と同等の構成については同じ符号を付与するとともに説明は省略する場合があり、主として前述の実施例との相違点について説明する。
【００８１】
（導光板６０の構成）
図１４には、本実施例に係る導光板６０についての斜視図を示す。導光板６０は、平面視が概略長方形である平板状の形状を有する。メイン光源１１から出射された光が入光するメイン入光面２６と、メイン入光面２６から入光した光を出射するメイン出光面２１とを有する。また、サブ光源１１Ａから出射された光が入光するサブ入光面６７と、サブ入光面６７から入光した光を出射するサブ出光面６３とを有する。
【００８２】
導光板６０におけるサブ出光面６３にはサブ入光面に垂直方向に延伸するレンチキュラー６５が設けられている。本実施例におけるレンチキュラー６５は、実施例１におけるものと同等のものである。本実施例においては、導光板６０においてサブ出光面６３が設けられた部分の厚みが、導光板６０においてメイン出光面２１が設けられた部分の厚みより薄くなっている。
【００８３】
本実施例によれば、導光板６０においてサブ出光面６３が設けられた部分の厚みがより薄いので、サブ入光面６７から導光板６０に入光した光が、レンチキュラー６５に入射する確率が相対的に高くなる。これにより、レンチキュラー６５による導光板６０への光の閉じ込め効果が増大し、メイン出光面２１へ漏れる光の量を減少させることができる。よって、より確実に、サブ光源１１Ａからサブ入光面６７に入光した光が、メイン出光面２１に漏れて出光されることが抑制され、導光板６０全体としての輝度ムラを抑制することができる。
【００８４】
＜実施例６＞
次に、本発明の実施例６について図１５を用いて説明する。本実施例においては、導光板のサブ出光面に、サブ入光面に垂直方向に延伸するレンチキュラーを有するとともに、メイン出光面とサブ出光面の境界部分においては、導光板の厚みを薄くした例について説明する。
【００８５】
図１５には、本実施例に係る導光板７０及び導光板８０についての斜視図を示す。本実施例においても、図１５のうち、前述の実施例で説明した構成と同等の構成については同じ符号を付与するとともに説明は省略する場合があり、主として前述の実施例との相違点について説明する。
【００８６】
（導光板７０及び８０の構成）
図１５（ａ）において、導光板７０は、平面視が概略長方形である平板状の形状を有する。メイン光源１１から出射された光が入光するメイン入光面７６と、メイン入光面７６から入光した光を出光するメイン出光面７１とを有する。また、サブ光源１１Ａから出射された光が入光するサブ入光面７７と、サブ入光面７７から入光した光を出光するサブ出光面７３とを有する。
【００８７】
本実施例における導光板７０のサブ出光面７３にはレンチキュラー７５が設けられている。本実施例におけるレンチキュラー７５は、実施例１におけるものと同等のものである。本実施例においては、導光板７０においてサブ出光面７３が設けられた部分の厚みと、導光板７０においてメイン出光面７１が設けられた部分の厚みとは同等であるが、それらの境界部分においては、反対面７２に凹溝７８が形成されることにより、導光板７０の厚
みがその他の部分より薄くなっている。
【００８８】
本実施例によれば、導光板７０においてサブ出光面７３が設けられた部分と、メイン出光面７１が設けられた部分の境界においては、導光板７０の断面積自体が減縮するとともに、相対的にレンチキュラー７５の厚みの比率が高くなる。よって、本実施例では、サブ光源１１Ａから出射されサブ入光面７７から導光板７０に入光した光が、メイン出光面７１の方に漏れづらくなる。これにより、レンチキュラー７５による光の閉じ込め効果が増大し、メイン出光面７１へ漏れる光量を減少させることができる。その結果、より確実に、サブ光源１１Ａからサブ入光面７７に入光した光が、サブ出光面７３からメイン出光面７１に漏れて出光されることが抑制され、導光板７０全体としての輝度ムラを抑制することができる。
【００８９】
同様に、図１５（ｂ）には、本実施例における別の態様について示す。図１５（ｂ）において、導光板８０は、平面視が概略長方形である平板状の形状を有する。メイン光源１１から出射された光が入光するメイン入光面８６と、メイン入光面８６から入光した光を出光するメイン出光面８１とを有する。また、サブ光源１１Ａから出射された光が入光するサブ入光面８７と、サブ入光面８７から入光した光を出光するサブ出光面８３とを有する。
【００９０】
本実施例における導光板８０のサブ出光面８３にはレンチキュラー８５が設けられている。本実施例におけるレンチキュラー８５は、実施例１におけるものと同等のものである。本実施例においては、導光板８０においてサブ出光面８３が設けられた部分の厚みと、メイン出光面８１が設けられた部分の厚みとは、導光板８０の長辺側の両端においては同等である。そして、導光板８０においてサブ出光面８３が設けられた部分と、メイン出光面８１が設けられた部分の境界部分に向けて、導光板８０の厚みが両側から直線的に薄くなっていく。そして、境界部分において導光板８０の厚みが最も薄くなっている。
【００９１】
本実施例によっても、導光板８０においてサブ出光面８３が設けられた部分と、メイン出光面８１が設けられた部分の境界においては、導光板８０の厚みが薄くなるとともに、相対的にレンチキュラー８５の厚みの比率が高くなる。これにより、レンチキュラー８５による光の閉じ込め効果が増大し、サブ光源１１Ａから出射されサブ入光面８７から導光板８０に入光した光が、メイン出光面８１の方に漏れづらくなる。これにより、メイン出光面８１へ漏れる光量を減少させることができる。その結果、より確実に、サブ光源１１Ａからサブ入光面８７に入光した光が、サブ出光面８３からメイン出光面８１に漏れて出光されることが抑制され、導光板８０全体としての輝度ムラを抑制することができる。
【００９２】
＜実施例７＞
次に、本発明の実施例７について説明する。本実施例においては、導光板のサブ出光面に、サブ入光面に垂直方向に延伸するレンチキュラーを設けるとともに、導光板においてサブ出光面が設けられた部分の幅が、メイン出光面が設けられた部分の幅と比較して狭くされる例について説明する。
【００９３】
図１６には、本実施例に係る導光板９０についての斜視図を示す。本実施例においても、図１６のうち、前述の実施例で説明した構成と同等の構成については同じ符号を付与するとともに説明は省略する場合があり、主として前述の実施例との相違点について説明する。
【００９４】
（導光板９０の構成）
図１６において、導光板９０は、平面視が概略長方形である平板状の形状を有する。メイン光源１１から出射された光が入光するメイン入光面２６と、メイン入光面２６から入
光した光を出射するメイン出光面２１とを有する。また、サブ光源１１Ａから出射された光が入光するサブ入光面９７と、サブ入光面９７から入光した光を出射するサブ出光面９３とを有する。
【００９５】
本実施例における導光板９０のサブ出光面９３にはレンチキュラー９５が設けられている。本実施例におけるレンチキュラー９５は、実施例１におけるものと同等のものである。本実施例においては、導光板９０においてサブ出光面９３が設けられた部分の、サブ入光面９７に垂直方向の幅が、メイン出光面２１が設けられた部分の幅より狭くなっており、導光板９０においてサブ出光面９３が設けられた部分と、メイン出光面２１が設けられた部分の境界には、段差９８が生じている。そして、そのことによって生じたスペースに、サブ光源１１Ａが配置されている。
【００９６】
本実施例によれば、導光板９０においてサブ出光面９３が設けられた部分のサブ入光面９７に垂直方向の幅が、導光板９０においてメイン出光面２１が設けられた部分の幅より狭くなっており、そのことにより生じたスペースに、サブ光源１１Ａを収納することができるので、導光板９０の外形のさらに外側にサブ光源１１Ａが突出してしまうことを防止できる。その結果、面光源装置１全体としてのスペース効率を高めることが可能である。また、上記のスペースにカメラなど別部材を配置することも可能となり、面光源装置１または液晶表示装置全体としてのスペース効率を高めることができる。
【００９７】
なお、その際、図１７に示すように、導光板９０のメイン出光面２１が設けられた部分と、サブ出光面９３が設けられた部分との間の段差９８の表面に、遮光部材９６を備えるようにしてもよい。これによれば、サブ光源１１Ａから出射された光の一部が直接、段差９８の表面から、導光板９０においてメイン出光面２１が設けられた部分に入光することを抑制できる。その結果、導光板９０全体としての輝度の均一性を向上させることができる。
【００９８】
なお、本実施例においては、導光板９０においてサブ出光面９３が設けられた部分のサブ入光面９７側の端面が、メイン出光面２１が設けられた部分のサブ入光面９７側の端面に対して、段差９８を伴って窪み、そのことによって生じたスペースに、サブ光源１１Ａを配置した例について説明した。しかしながら、本実施例においては、段差９８は必ずしもなくてもよい。例えば、導光板９０においてサブ出光面９３が設けられた部分のサブ入光面９７側の端面と、メイン出光面２１が設けられた部分のサブ入光面９７側の端面との間に、斜面が形成されていてもよい。このような場合には、遮光部材９６は、当該斜面に設けられるようにしてもよい。
【００９９】
以上説明した実施例１〜７の導光板によれば、サブ出光面における光源からの光がメイン出光面に漏れ出すことを抑制でき、その結果、導光板全体としての輝度の均一性を向上させることができ、輝度ムラの発生を抑制できる。そのため、このような導光板を備える面光源装置をバックライトとして搭載することで、より、輝度の均一性の高いデュアル画面タイプの液晶表示装置を提供することができる。
【０１００】
更に、このような表示装置は、各種の電子機器に搭載することができる。このような表示装置を備えた電子機器として、スマートフォン、デジタルカメラ、タブレット端末、電子ブック、ウェアラブル機器、カーナビゲーション装置、電子辞書、電子広告板等を例示できる。このような電子機器は優れた輝度均一性を有し、より高い表示性能を提供することが期待できる。
【０１０１】
なお、上記の実施例においては、メイン出光面または、サブ出光面または、反対面の少なくとも１つには、導光板内部を導かれる光を散乱させるドットパターンが設けられるよ
うにしてもよい。これにより、より効率よく、前記第一出光面または第二出光面から出光することが可能となる。
【０１０２】
また、上記の実施例においては、メイン出光面または、メイン出光面の裏面である反対面にドットパターンが設けられるようにし、そのドットパターンが単位面積当たりに占める面積は、メイン入光面側から、メイン出光面とサブ出光面の境界までの間のいずれかの場所において最大となり、メイン出光面とサブ出光面の境界では前記最大値から減少しているようにしてもよい。これによれば、メイン入光面から入光したメイン光源の光が、メイン出光面においてより効率的に出光するようにできる。これにより、より確実に、メイン入光面から入光したメイン光源の光が、サブ出光面のレンチキュラーに直接到達して一気に出光することで明線として視認されることを抑制でき、導光板全体としての輝度分布の均一性を向上させることができる。
【０１０３】
また、上記の実施例においては、各レンチキュラーを構成するプリズムの少なくとも一部は、その延伸方向において断続的に設けられるようにしてもよい。これによれば、各レンチキュラーのプリズムによって、各入光面から入光した光の、進行方向と垂直方向への拡散を抑制することができるとともに、断続的に設けられたプリズムをドットパターンとして機能させることができる。これにより、より効率的に光を導光板から出光させることができる。その結果、より確実に、サブ入光面から入光した光がサブ出光面側からメイン出光面側に漏れることを抑制できるとともに、導光板における輝度の均一性を高め、輝度ムラを抑制することができる。
【０１０４】
また、上記の実施例においては、全てのレンチキュラー構造（第一凸条、第二凸条、第三凸条）が、導光板の出光面側に設けられた例について説明した。しかしながら、上述した全てのレンチキュラー構造は、導光板の出光面の裏面である反対面に設けられても良い。この構成によっても、上記の実施例と同等の効果を得ることが可能となる。また、上記の実施例においては、レンチキュラー構造は、サブ出光面の全面に設けられていた。しかしながら、レンチキュラー構造は、必ずしもサブ出光面の全面に設けられている必要はない。例えば、サブ出光面における、メイン出光面側の一部に設けられていてもよい。さらに、レンチキュラー構造は、必ずしも凸状のプリズムから構成される必要はなく、凹状のプリズムから構成されてもよい。
【０１０５】
また、上記の実施例において、方向の特定について、ある面（例えば、メイン入光面、サブ入光面）に対して垂直、平行といった特定をしているが、これらは必ずしも、正確に９０度、１８０度の角度を有することを意味せず、同等の効果を得ることが可能な範囲の変動は許容する趣旨である。例えば、垂直方向、平行方向ともに、±５度程度の変動は充分に許容される。
【０１０６】
また、上記の実施例において、メイン光源及び、サブ光源は、導光板の側面に配置されるが、必ずしも端面に外部から対向するように配置される必要はない。例えば、導光板の側面の端面付近に、光源用の孔を開け、当該孔の側面にメイン光源またはサブ光源を配置するようにしてもよい。
【符号の説明】
【０１０７】
１・・・面光源装置
２・・・液晶パネル
１０、３０、４０、５０、６０、７０，８０、９０・・・導光板
１１・・・メイン光源
１１Ａ・・・サブ光源
１２・・・フレキシブルプリント基板
１３・・・フレーム
１４・・・固定部材
１５・・・反射シート
１６・・・拡散シート
１７Ａ、１７Ｂ・・・プリズムシート
１８・・・遮光両面テープ
２１、３１、４１、７１、８１・・・メイン出光面
２３、５３、６３、７３、８３、９３・・・サブ出光面
２５、３５、４２、５５、６５・・・レンチキュラー
２６、３６、７６，８６・・・メイン入光面
２７、５７、６７、７７、８７、９７・・・サブ入光面
９８・・・段差
【図１】
2017120740.tif 000003
【図２】
2017120740.tif 000004
【図３】
2017120740.tif 000005
【図４】
2017120740.tif 000006
【図５】
2017120740.tif 000007
【図６】
2017120740.tif 000008
【図７】
2017120740.tif 000009
【図８】
2017120740.tif 000010
【図９】
2017120740.tif 000011
【図１０】
2017120740.tif 000012
【図１１】
2017120740.tif 000013
【図１２】
2017120740.tif 000014
【図１３】
2017120740.tif 000015
【図１４】
2017120740.tif 000016
【図１５】
2017120740.tif 000017
【図１６】
2017120740.tif 000018
【図１７】
2017120740.tif 000019